(57)【特許請求の範囲】
【請求項１】
それぞれが互いに開閉自在に枢支され、複数の取付ねじによって筐体および蓋体を組み付けてなる第一及び第二の二つの通信機本体を備え、前記取付ねじのうち通信機表面部に露呈する取付ねじに、ねじ頭部を覆うねじ遮蔽部材を装着し、このねじ遮蔽部材に対応する受部を前記通信機表面部と異なる通信機表面部に設けた通信機であって、
前記ねじ遮蔽部材として、衝撃力吸収部材を兼用する緩衝材を用い、かつ、このねじ遮蔽部材を前記第一通信機本体の表面部から突出するように設け、
前記受部を、前記第一及び第二の通信機本体を折り畳んだときに前記ねじ遮蔽部材の突出する部分の一部が入り込む凹部とし、
前記ねじ遮蔽部材の突出部分の先端面を平面形状とするとともに、前記凹部の前記ねじ遮蔽部材が当接する底面を平面形状とした
ことを特徴とする折り畳み型携帯通信機。
【請求項２】
前記凹部が、前記ねじ遮蔽部材の突出する部分の一部が入り込んだとき、前記第一及び第二の通信機本体の表面部間に僅かな空隙が形成される深さである請求項１記載の折り畳み型携帯通信機。
【発明の詳細な説明】
【０００１】
【発明の属する技術分野】
本発明は、例えば携帯電話無線機等の移動体通信メディアに使用して好適な折り畳み型携帯通信機に関する。
【０００２】
【従来の技術】
近年、電気通信事業の自由化に伴い、携帯電話機を始めとして各種の移動体通信メディアの大衆化が進展しつつある。
一般に、この種の移動体通信メディアにおける携帯電話無線機には、操作部（操作キー）およびマイクを有する送話部と、スピーカおよび表示部を有するアンテナ付きの受話部とを備えたものが知られている。
【０００３】
このような携帯電話無線機においては、携帯の便利さから無線機全体の小型化が要求されている。
一方、データ等の表示では文字や記号等を視認し易い表示とするために、またキー操作では良好な操作を行うために、表示部および操作部をできるだけ大きくすることが要求されている。
【０００４】
このため、二つあるいは三つの筐体からなる無線機筐体を折り畳み可能な構造とすることにより、携帯時において無線機の小型化を図るとともに、単一筐体の全面に表示部あるいは操作部を配設することにより、使用時において広い面積の表示部および操作部を確保するようにした通信機がある。
【０００５】
従来、この種の折り畳み型携帯通信機（二つの筐体をもつもの）には、操作部および送話部を有する第一筐体（第一通信機本体）と、表示部および受話部を有する第二筐体（第二通信機本体）と、これら両通信機本体を開閉自在に枢支するヒンジとを備えたものが採用されている。
このような通信機においては、使用時に両通信機本体が表示部（通信機表面部）および操作部（通信機表面部）を外部に露呈させるように開状態とされ、一方、非使用時に両通信機本体が表示部および操作部を遮蔽するように閉状態とされる。
【０００６】
ところで、この種の折り畳み型携帯通信機においては、両通信機本体を回動操作して閉状態とした場合に、例えば操作部と表示部（通信機表面部同士）の衝突を回避する必要から、通信機表面部であって操作部および表示部以外の部分で当接するような通信機本体をもつ構造とされる。
【０００７】
【発明が解決しようとする課題】
しかるに、従来の折り畳み型携帯通信機においては、両通信機本体の閉動作終了時の当接による衝撃力を吸収する機能を備えておらず、このため閉動作の繰り返しによって各衝突（当接）部分が摩耗し、これら各衝突部分（通信機表面部）が変色・損傷するという問題があった。
【０００８】
また、この種の折り畳み型携帯通信機においては、各通信機本体が取付ねじによって筐体および蓋体を組み付けてなるものであるが、取付ねじが通信機表面部に露呈し、このため取付ねじが両通信機本体（通信機）の開状態において視認され、良好な外観を得ることができないという問題もあった。
【０００９】
なお、特開平１１−２７５１９１号公報には「携帯電話機」として先行技術が開示されているが、「本体ケースの損傷を防止する」点についての開示はあるものの、「良好な外観を得る」という従来の問題点を解決するための手段についての開示はない。
【００１０】
本発明はこのような事情にかんがみてなされたもので、通信機本体の箱体および蓋体を組み付けるための取付ねじをねじ遮蔽部材によって遮蔽するとともに、この遮蔽位置で通信機本体の閉動作終了における当接による衝撃力を衝撃力吸収部材によって吸収するというきわめて簡単な構成により、通信機表面部における変色・損傷の発生を防止することができるとともに、良好な外観を得ることができる折り畳み型携帯通信機の提供を目的とする。
【００１１】
【課題を解決するための手段】
前記目的を達成するために、本発明の折り畳み型携帯通信機は、それぞれが互いに開閉自在に枢支され、複数の取付ねじによって筐体および蓋体を組み付けてなる第一及び第二の二つの通信機本体を備え、前記取付ねじのうち通信機表面部に露呈する取付ねじに、ねじ頭部を覆うねじ遮蔽部材を装着し、このねじ遮蔽部材に対応する受部を前記通信機表面部と異なる通信機表面部に設けた通信機であって、前記ねじ遮蔽部材として、衝撃力吸収部材を兼用する緩衝材を用い、かつ、このねじ遮蔽部材を前記第一通信機本体の表面部から突出するように設け、
前記受部を、前記第一及び第二の通信機本体を折り畳んだときに前記ねじ遮蔽部材の突出する部分の一部が入り込む凹部とし、前記ねじ遮蔽部材の突出部分の先端面を平面形状とするとともに、前記凹部の前記ねじ遮蔽部材が当接する底面を平面形状とした構成としてある。
したがって、衝撃力吸収部材によって両通信機本体の閉動作終了における当接による衝撃力が平面的に吸収される。
【００１２】
また、本発明は、前記凹部が、前記ねじ遮蔽部材の突出する部分の一部が入り込んだとき、前記第一及び第二の通信機本体の表面部間に僅かな空隙が形成される深さとしてある。
【００１７】
【発明の実施の形態】
以下、本発明の実施形態につき、図面を参照して説明する。
図１（ａ）および（ｂ）は本発明の第一実施形態に係る折り畳み型携帯通信機の折り畳み（閉）状態を示す側面図とそのＸ部分を示す局部断面図、図２は図１（ｂ）を拡大して示す断面図、図３は本発明の第一実施形態に係る折り畳み型携帯通信機の開状態を示す平面図、図４および図５はそれぞれ図３のＢ部分とＣ部分を示す平面図である。
これら図１〜図５において、符号１で示す折り畳み型携帯通信機は、第一通信機本体２，第二通信機本体３およびねじ遮蔽部材４を備えている。
【００１８】
第一通信機本体２は、操作キー５およびマイク６を有し、全体が複数の取付ねじ（図示せず）によって蓋体２ａおよび筐体２ｂを組み付けてなるプラスチック製のほぼ四角形箱によって形成されている。第一通信機本体２には、マイク６の両側方に位置し、かつ通信機表面部２ｂ１に露呈する受部としての凸部７が一体に設けられている。
【００１９】
凸部７は、それぞれが互いに通信機幅方向に所定の間隔をもって並列する二つの半球状の凸部７ａ，７ｂからなり、第一通信機本体２における筐体２ｂ（通信機表面部２ｂ１）の反枢支側端部に配置されている。各凸部７ａ，７ｂは、突出量が同一の寸法に設定され、かつ第一通信機本体２の通信機表面部２ｂ１から突出する他の部品の高さに第二通信機本体３の通信機表面部（後述）から突出する部品の高さを加算した寸法より高い寸法に設定されている。これにより、両通信機本体２，３の閉動作終了における当接が各凸部７ａ，７ｂとねじ遮蔽部材４とで行われる。
【００２０】
第二通信機本体３は、液晶表示器８およびスピーカ９を有し、第一通信機本体２にヒンジ１０を介して開閉自在に枢支されており、全体が第一通信機本体２と同様に複数の取付ねじＡによって筐体３ａおよび蓋体３ｂを組み付けてなるプラスチック製のほぼ四角形箱によって形成されている。第二通信機本体３には、ヒンジ１０の軸線（枢軸）方向と直角な方向に伸縮するアンテナ１１が取り付けられている。
【００２１】
筐体３ａには、各凸部７ａ，７ｂに対応する部位に位置し、かつ取付ねじＡが螺合するねじ孔１２が設けられている。ねじ孔１２は、それぞれが互いに通信機幅方向に所定の間隔をもって並列する二つのねじ孔（一方のみ図示）からなり、第二通信機本体３における筐体３ａの反枢支側端部に配置されている。
【００２２】
蓋体３ｂには、ねじ孔１２の軸線と同一の軸線方向に開口し、かつ取付ねじＡが挿通するねじ挿通孔１３が設けられている。ねじ挿通孔１３は、それぞれが互いに通信機幅方向に所定の間隔をもって並列し、取付ねじＡのねじ頭部ａがねじ締め付け状態において着座する第一座面１３ａおよびこの第一座面１３ａより外側に位置する第二座面１３ｂを有する二つの段状孔（一個のみ図示）によって形成されている。ねじ挿通孔１３内には、両通信機本体２，３の閉動作終了状態において各凸部７ａ，７ｂの先端部が位置付けられる。
【００２３】
ねじ遮蔽部材４は、各ねじ挿通孔１３内に外周縁を第二座面１３ｂに対向して配置され、かつ各取付ねじＡ（第二通信機本体３の通信機表面部３ｂ１に露呈する取付ねじ）のねじ頭部ａに貼付されており、全体が平面円形状の装飾部材によって形成されている。
【００２４】
また、ねじ遮蔽部材４は、両通信機本体２，３の閉動作終了における当接による衝撃力を吸収するゴム等の緩衝材からなり、すなわち衝撃力吸収部材を兼用しており、各ねじ頭部ａと各凸部７ａ，７ｂとの間に両通信機本体２，３の閉状態において弾装されている。これにより、両通信機本体２，３の閉動作終了における当接による衝撃力がねじ遮蔽部材４において吸収される。
【００２５】
このように構成された折り畳み型携帯通信機においては、使用時に両通信機本体２，３を図１（ａ）に示す折り畳み状態から円周正方向に１８０°回動操作して図３に示すように全開する。このとき、第二通信機本体３（蓋体３ｂ）の通信機表面部３ｂ１（外部）にねじ遮蔽部材４が露呈する。
【００２６】
また、非使用時には、両通信機本体２，３を図３に示す全開状態から円周負方向に１８０°回動操作して図１（ａ）に示すように折り畳む。このとき、各凸部７ａ，７ｂが取付ねじＡのねじ頭部ａにねじ遮蔽部材４を介して当接し、両通信機表面部２ｂ１，３ｂ１間に僅かな空隙が形成される。
【００２７】
したがって、本実施形態においては、両通信機本体２，３の全開位置でねじ遮蔽部材４が視認されるから、ねじ遮蔽部材４のねじ遮蔽機能によって取付ねじＡ（ねじ頭部ａ）を遮蔽することができる。
また、本実施形態においては、両通信機本体２，３の閉動作（折り畳み）終了における当接による衝撃力がねじ遮蔽部材４の緩衝機能によって吸収されるから、従来のように両通信機本体２，３の各衝突（当接）部分が摩耗することはない。
【００２８】
なお、本実施形態においては、ねじ遮蔽部材４が衝撃力吸収部材を兼用する場合について説明したが、本発明はこれに限定されず、各凸部７ａ，７ｂが衝撃力吸収部材を兼用するものでもよく、この他各凸部７ａ，７ｂあるいはねじ遮蔽部材４に衝撃力吸収部材を取り付けてなるものでも実施形態と同様の効果を奏する。
【００２９】
また、本実施形態においては、各凸部７ａ，７ｂが半球状である場合について説明したが、本発明はこれに限定されず、両通信機本体２，３が安定した折り畳み状態を得ることが可能であれば他の形状でもよい。
【００３０】
次に、本発明の第二実施形態につき、図６を用いて説明する。
図６は本発明の第二実施形態に係る折り畳み型携帯通信機の要部を示す局部断面図で、同図において図１〜図５と同一の部材については同一の符号を付し、詳細な説明は省略する。
同図において、符号６１で示す折り畳み型携帯通信機は、第一通信機本体２，第二通信機本体３およびねじ遮蔽部材６２を備えている。
【００３１】
第一通信機本体２は、操作キーおよびマイク（共に図示せず）を有し、全体が複数の取付ねじ（図示せず）によって蓋体２ａおよび筐体２ｂを組み付けてなるプラスチック製のほぼ四角形箱によって形成されている。第一通信機本体２には、マイクの両側方に位置し、かつ通信機表面部２ｂ１に開口する受部としての凹部６３が設けられている。
【００３２】
凹部６３は、それぞれが互いに通信機幅方向に所定の間隔をもって並列する二つの平面円形状の凹部（一個のみ図示）からなり、第一通信機本体２における筐体２ｂ（通信機表面部２ｂ１）の反枢支側端部に配置されている。両凹部６３は、深さが同一の寸法に設定され、空間サイズがねじ遮蔽部材６２の一部を収納可能な大きさに設定されている。これにより、両通信機本体２，３の閉動作終了における当接が各凹部６３（底面）とねじ遮蔽部材６２とで行われる。
【００３３】
第二通信機本体３は、液晶表示器およびスピーカ（共に図示せず）を有し、第一通信機本体２にヒンジ（図示せず）を介して開閉自在に枢支されており、全体が第一通信機本体２と同様に複数の取付ねじＡ（一個のみ図示）によって筐体３ａおよび蓋体３ｂを組み付けてなるプラスチック製のほぼ四角形箱によって形成されている。
【００３４】
筐体３ａには、各凹部６３に対応する部位に位置し、かつ取付ねじＡが螺合するねじ孔１２が設けられている。ねじ孔１２は、それぞれが互いに通信機幅方向に所定の間隔をもって並列する二つのねじ孔（一方のみ図示）からなり、第二通信機本体３における筐体３ａの反枢支側端部に配置されている。
【００３５】
蓋体３ｂには、ねじ孔１２の軸線と同一の軸線方向に開口し、かつ取付ねじＡが挿通するねじ挿通孔１３が設けられている。ねじ挿通孔１３は、それぞれが互いに通信機幅方向に所定の間隔をもって並列し、取付ねじＡのねじ頭部ａがねじ締め付け状態において着座する座面１３ａを有する二つの段状孔（一個のみ図示）によって形成されている。
【００３６】
ねじ遮蔽部材６２は、各ねじ挿通孔１３内に外周縁を座面１３ｂに当接させて配置され、かつ各取付ねじＡ（第二通信機本体３の通信機表面部３ｂ１に露呈する取付ねじ）のねじ頭部ａに貼付されており、全体が平面円形状の装飾部材によって形成されている。
【００３７】
また、ねじ遮蔽部材６２は、両通信機本体２，３の閉動作終了における当接による衝撃力を吸収するゴム等の緩衝材からなり、すなわち衝撃力吸収部材を兼用しており、一部が両通信機本体２，３の閉状態において各凹部６３内に位置し、各ねじ頭部ａと各凹部６３（底面）との間に弾装されている。これにより、両通信機本体２，３の閉動作終了における当接による衝撃力がねじ遮蔽部材６３において吸収される。
【００３８】
なお、ねじ遮蔽部材６２は、両通信機本体２，３の閉動作による凹部６３（底面）との当接によって通信機表面部２ｂ１，３ｂ１（部品等を含む）同士の干渉を回避する（両通信機表面部２ｂ１，３ｂ１間に僅かな空隙を形成する）ような収縮量とする伸縮材料が用いられる。
【００３９】
このように構成された折り畳み型携帯通信機においては、使用時に両通信機本体２，３を折り畳み状態から円周正方向に１８０°回動操作して全開する。このとき、第二通信機本体３（筐体３ｂ）の通信機表面部３ｂ１（外部）にねじ遮蔽部材６２が露呈する。
【００４０】
また、非使用時には、両通信機本体２，３を全開状態から円周負方向に１８０°回動操作して折り畳む。このとき、各取付ねじＡのねじ頭部ａが各凹部６３の底面にねじ遮蔽部材６２を介して当接し、両通信機表面部２ａ，３ａ間に僅かな空隙が形成される。
【００４１】
したがって、本実施形態において、両通信機本体２，３の全開位置でねじ遮蔽部材６２が視認されるから、その遮蔽機能によって取付ねじＡ（ねじ頭部ａ）を遮蔽できることは、第一実施形態と同様である。
また、本実施形態においては、両通信機本体２，３の閉動作（折り畳み）終了における当接による衝撃力がねじ遮蔽部材６２の緩衝機能によって吸収されるから、第一実施形態と同様に、両通信機本体２，３の各衝突（当接）部分が摩耗することはない。
【００４２】
なお、本実施形態においては、ねじ遮蔽部材６２が衝撃力吸収部材を兼用する場合について説明したが、本発明はこれに限定されず、各凹部６３あるいはねじ遮蔽部材６２に衝撃力吸収部材を取り付けてなるものでも実施形態と同様の効果を奏する。
【００４３】
また、各実施形態においては、ねじ遮蔽部材４，６２が平面円形状である場合について説明したが、本発明はこれに限定されず、図７（ａ）および（ｂ）にそれぞれ示すように星形やハート形等の任意形状であっても勿論よい。この場合、ねじ遮蔽部材４，６２に所望の色彩を施すことにより、良好な視認性が得られる。
このように、ねじ遮蔽部材４，６２をデザイン化したものとすると、使用者の興味を惹くことが可能となる。
【００４４】
この他、各実施形態においては、二つの通信機本体を備えた通信機に適用する場合について説明したが、本発明はこれに限定されず、三つの通信機本体にも各実施形態と同様に適用可能である。
【００４５】
【発明の効果】
以上説明したように本発明によれば、両通信機本体の開状態においてねじ頭部を覆うねじ遮蔽部材が視認されるから、ねじ遮蔽部材によって取付ねじを遮蔽することができ、良好な外観を得ることができる。
また、両通信機本体の閉動作終了における当接による衝撃力が衝撃力吸収部材によって吸収されるから、従来のように両通信機本体の各衝突部分が摩耗せず、通信機表面部における変色・損傷の発生を防止することができる。
【図面の簡単な説明】
【図１】（ａ）および（ｂ）は本発明の第一実施形態に係る折り畳み型携帯通信機の閉状態を示す側面図とそのＸ部分を示す局部断面図である。
【図２】図１（ｂ）を拡大して示す断面図である。
【図３】本発明の第一実施形態に係る折り畳み型携帯通信機の開状態を示す平面図である。
【図４】図３のＢ部分を示す平面図である。
【図５】図３のＣ部分を示す平面図である。
【図６】本発明の第二実施形態に係る折り畳み型携帯通信機の要部を示す局部断面図である。
【図７】（ａ）および（ｂ）は本発明の他の実施形態に係る折り畳み型携帯通信機におけるねじ遮蔽部材を示す平面図である。
【符号の説明】
１  折り畳み型携帯通信機
２  第一通信機本体
２ａ  蓋体
２ｂ  筐体
２ｂ１  通信機表面部
３  第二通信機本体
３ａ  筐体
３ｂ  蓋体
３ｂ１  通信機表面部
４  ねじ遮蔽部材
５  操作キー
６  マイク
７，７ａ，７ｂ  凸部
８  液晶表示器
９  スピーカ
１０  ヒンジ
１１  アンテナ
１２  ねじ孔
１３  ねじ挿通孔
Ａ  取付ねじ
ａ  ねじ頭部
【図１】
0003570960.tif 000002
【図２】
0003570960.tif 000003
【図３】
0003570960.tif 000004
【図４】
0003570960.tif 000005
【図５】
0003570960.tif 000006
【図６】
0003570960.tif 000007
【図７】
0003570960.tif 000008